(57)【要約】【課題】本発明は、正巻きと逆巻きにおいて、同一ターン数の巻線を巻くようにすることである。【解決手段】本発明によるレゾルバステータ構造及びその巻線の巻回方法は、輪状ステータ(1)の巻き崩れ防止壁(8)の外側に迂回用ピン(20)を設け、各突出磁極(22)の外周に巻回する巻線(7)を、正巻き又は逆巻き時において、巻線(7)の巻き始め及び巻き終わりに、前記迂回用ピン(20)にからげた後にスロット(9)に突入又は離脱させることにより、各突出磁極(22)の巻線(7)のターン数を同一とする構成と方法である。【選択図】図１
2018019486.tif 000002
【特許請求の範囲】
【請求項１】
所定角度間隔で内方へ向けて突出する複数の突出磁極(22)を有する輪状ステータ(1)と、前記輪状ステータ(1)の両端面(1A,1B)に一体又は別体にて形成された輪状絶縁カバー(2)と、前記各突出磁極(22)に前記輪状絶縁カバー(2)を介して巻回された巻線(7)と、を有するレゾルバステータ構造において、前記輪状絶縁カバー(2)に一体形成され前記各突出磁極(22)間に位置する渡りピン(10)と、前記輪状絶縁カバー(2)に一体形成され前記各突出磁極(22)の外側に位置する巻き崩れ防止壁(8)と、前記輪状絶縁カバー(2)に一体形成され前記巻き崩れ防止壁(8)の外側に位置する迂回用ピン(20)と、を備え、前記巻線(7)は前記迂回用ピン(20)にからげ後、前記スロット(9)に対する突入もしくは離脱とする構成よりなることを特徴とするレゾルバステータ構造。
【請求項２】
請求項１記載のレゾルバステータ構造を用いて前記各突出磁極(22)に巻線(7)を正巻き又は逆巻きで巻回する時、前記巻線(7)は、前記迂回用ピン(20)を回り込み又は巻き付け動作を経て巻回されることを特徴とするレゾルバステータ構造の巻線の巻回方法。
【発明の詳細な説明】
【技術分野】
【０００１】
本発明は、レゾルバステータ構造及びその巻線の巻回方法に関し、特に、突出磁極の背部に設けられた巻き崩れ防止壁の外側に迂回用ピンを設けることにより、突出磁極における正巻き及び逆巻きの巻線量の差が出ないようにするための新規な改良に関する。
【背景技術】
【０００２】
従来、用いられていたこの種のレゾルバステータ構造の巻線構造としては、特許文献１
の構成のように、突出磁極と端子ピンとの間の巻線にたるみを設けて、巻線の耐振動特性を向上させる構成であるが、そこに用いられている各突出磁極に対する巻線構造は、実際には、図５及び図６に示された構成が採用されていた。
【０００３】
すなわち、図５及び図６において、符号１で示されるものは、内方に向けて所定角度間隔で突出する複数の突出磁極２２を一体に有する輪状ステータであり、前記輪状ステータ１の第１端面１Ａ及び第２端面１Ｂには、射出成形によって一体又は別体によって形成された輪状絶縁カバー２が形成されている。
前記輪状絶縁カバー２は、前記輪状ステータ１の周縁の一部１Ｃをわずかに残すだけで、前記各突出磁極２２を覆い、外部に対し絶縁性を保つことができるように構成されている。
【０００４】
前記輪状絶縁カバー２の一部は、前記輪状ステータ１の一部から半径方向ｒに沿って外方に突出して端子ピン保持部３が形成され、前記端子ピン保持部３には、複数の端子ピン４が互いに絶縁された状態でインサート成形によって設けられている。
【０００５】
前記輪状絶縁カバー２の外周位置には、輪状璧部４が一体に軸方向Ｐに沿って立設されると共に、前記輪状璧部４の一部は前記端子ピン保持部３の外側を囲うように外囲部５が形成されている。
前記輪状ステータ１の外周に突出して複数個形成された取付孔６は、前記輪状絶縁カバー２に覆われることなく露出した状態で構成されている。
【０００６】
前記各突出磁極２２の外側には、前記各突出磁極２２に巻回された巻線７が前記輪状ステータ１の外周側に巻き崩れを防止するための巻き崩れ防止壁８が前記輪状絶縁カバー２と一体に形成されている。
前記各突出磁極２２間に形成されているスロット９の近傍には、前記巻線７を各突出磁極２２に渡りつつ巻回する時の案内をするための渡りピン１０が各々設けられている。
【０００７】
次に、以上の構成による従来のレゾルバステータ構造において、巻線７を前記各突出磁極２２に対して巻回する場合について説明する。
前記端子ピン保持部３の端子ピン４にからげられた巻線７は、突出磁極２２の何れかに巻回された後に渡りピン１０の裏側を経て次の突出磁極２２に渡って巻線７の巻回が行われる。
【先行技術文献】
【特許文献】
【０００８】
【特許文献１】特開２００２-２７２０５０号公報
【発明の概要】
【発明が解決しようとする課題】
【０００９】
従来のレゾルバステータ構造は、以上のように構成されていたため、次のような課題が存在していた。
すなわち、従来の巻線方法では、巻線の巻回を実施する時の各スロットの移動方向と巻き方向が一致した場合（正巻き）に、巻線が渡りピンから斜めにスロット９内に侵入し、スロット９から渡りピン１０に向けて斜めに離脱する状態となるため、巻き崩れ防止壁を経由してからスロット９内に突入し離脱する逆巻きと比較して、約０．５ターンだけ巻数が少なくなっていた。
そのため、正巻き部分において逆巻き部分において正確な巻線分布ができず、レゾルバステータ全体としてもバランスのとれた正確な巻線分布とならないため、設計値通りのレゾルバ出力信号特性を得ることが困難であった。
【００１０】
本発明は、以上のような課題を解決するためになされたもので、特に、突出磁極の背部に設けられた巻き崩れ防止壁の外側に迂回用ピンを設けることにより、突出磁極における正巻き及び逆巻きの巻線量の差が出ないようにするレゾルバステータ構造及びその巻線の巻回方法を提供することを目的とする。
【課題を解決するための手段】
【００１１】
本発明によるレゾルバステータ構造は、所定角度間隔で内方へ向けて突出する複数の突出磁極を有する輪状ステータと、前記輪状ステータの両端面に一体又は別体にて形成された輪状絶縁カバーと、前記各突出磁極に前記輪状絶縁カバーを介して巻回された巻線と、を有するレゾルバステータ構造において、前記輪状絶縁カバーに一体形成され前記各突出磁極間に位置する渡りピンと、前記輪状絶縁カバーに一体形成され前記各突出磁極の外側に位置する巻き崩れ防止壁と、前記輪状絶縁カバーに一体形成され前記巻き崩れ防止壁の外側に位置する迂回用ピンと、を備え、前記巻線は前記迂回用ピンにからげ後、前記スロットに対する突入もしくは離脱とする構成であり、また、本発明によるレゾルバステータ構造の巻線の巻回方法は、請求項１記載のレゾルバステータ構造を用いて前記各突出磁極に巻線を正巻き又は逆巻きで巻回する時、前記巻線は、前記迂回用ピンを回り込む動作を経て巻回される方法である。
【発明の効果】
【００１２】
本発明によるレゾルバ構造及びその巻線の巻回方法は、以上のように構成されているため、次のような効果を得ることができる。
すなわち、所定角度間隔で内方へ向けて突出する複数の突出磁極を有する輪状ステータと、前記輪状ステータの両端面に一体又は別体にて形成された輪状絶縁カバーと、前記各突出磁極に前記輪状絶縁カバーを介して巻回された巻線と、を有するレゾルバステータ構造において、前記輪状絶縁カバーに一体形成され前記各突出磁極間に位置する渡りピンと、前記輪状絶縁カバーに一体形成され前記各突出磁極の外側に位置する巻き崩れ防止壁と、前記輪状絶縁カバーに一体形成され前記巻き崩れ防止壁の外側に位置する迂回用ピンと、を備え、前記巻線は前記迂回用ピンにからげ後、前記スロットに対する突入もしくは離脱とする構成よりなることにより、スロット突入時及び離脱時に迂回用ピンを回り込む形で巻線を実施しているため、最初及び最終の巻回を正確に１ターンとしているため、従来のように０．５ターン少なくなると云う不具合も発生することはなく、正確な巻線分布を達成し、レゾルバとしての検出精度を大幅に向上できる。
また、請求項１記載のレゾルバステータ構造を用いて前記各突出磁極に巻線を正巻き又は逆巻きで巻回する時、前記巻線は、前記迂回用ピンを回り込む動作を経て巻回されることにより、前述の構造と同様に、正確な１ターンの巻線の巻回を得ることができ、レゾルバの検出特性を高精度化することができる。
【図面の簡単な説明】
【００１３】
【図１】本発明によるレゾルバステータ構造及びその巻線の巻回方法を示すためのレゾルバの平面図である。
【図２】図１の要部の拡大図である。
【図３】図１の要部の拡大図である。
【図４】図１の要部の拡大図である。
【図５】従来のレゾルバステータ構造及びその巻線の巻回方法を示すためのレゾルバの平面図である。
【図６】図５の要部の拡大平面図である。
【発明を実施するための形態】
【００１４】
本発明によるレゾルバステータ構造及びその巻線の巻回方法は、突出磁極の背部に設けられた巻き崩れ防止壁の外側に迂回用ピンを設けることにより、突出磁極における正巻き及び逆巻きの巻線量の差が出ないようにした構成と方法を得ることである。
【実施例】
【００１５】
以下、図面と共に本発明によるレゾルバステータ構造及びその巻線の巻回方法の好適な実施の形態について説明する。
尚、従来例と同一又は同等部分には、同一符号を付して本発明に援用するものとし、重複を避けるためにその説明は省略し、従来例と異なる部分についてのみ説明する。
図１において、前記巻き崩れ防止壁８の外側には、前記巻線７を前記突出磁極２２に巻回させる時に迂回させるための迂回用ピン２０が設けられ、前記迂回用ピン２０は前記輪状絶縁カバー２と一体で、かつ、前記軸方向Ｐに沿って立設するように形成されている。
【００１６】
前記各突出磁極２２の１個を拡大して示すと、図２の通りである。
すなわち、図２は、図１における端子ピン保持部３と突出磁極２２における巻線７の巻線構造を拡大して示すものである。
図２に示されるように、まず、正巻きの場合、前記各突出磁極２２に対して自動巻線機により巻線７を巻回する方向と、前記巻回時の各スロット９の第１移動方向Ｍとが一致した場合に、巻線７が前記各スロット９間に位置する巻き崩れ防止壁８の外側に位置する迂回用ピン２０の外周面２０Ａを、図３のように、回り込んでから隣りのスロット９へ離脱（すなわち、移動）するため、前記各突出磁極２２に巻回される巻線７の長さは、１ターンずつ正確に重ねることができ、正巻き時に同じターン数とすることができる。また、前記迂回用ピン２０に巻線７をからげる場合、前述のように、外周面２０Ａに回り込ませるだけでなく、１回転又は２回転巻付けることもできる。
【００１７】
また、前述の正巻きと逆の逆巻き時においては、前記各突出磁極２２に対して巻線７を巻回する方向と、前記巻回時の各スロット９の第２移動方向Ｎとが一致した場合に、巻線７が前記各スロット９間に位置する巻き崩れ防止壁８の外側に位置する迂回用ピン２０の外周面２０Ａを、図４のように、回り込んでから隣りのスロット９へ離脱するため、この繰り返しによって各突出磁極２２における逆巻きのターン数を正確に同一とすることができる。
【００１８】
従って、前述の本発明によるレゾルバステータ構造及びその巻線の巻回方法は以上のように構成されているため、前記迂回用ピンを設け、各スロット９毎の巻線７の巻き始め及び巻き終わり時に、この迂回用ピン２０にからげ（回り込み又は巻回する）てからスロット９へ突入もしくは離脱することにより、各突出磁極２における精密な巻線分布（所定のターン数）を達成することができる。
すなわち、前記迂回用ピン２０が正巻き及び逆巻きの何れの場合においても、巻回時の共通の起点となるように構成されている。
【００１９】
尚、本発明によるレゾルバステータ構造及びその巻線の巻回方法の要旨とするところは、以下の通りである。
すなわち、所定角度間隔で内方へ向けて突出する複数の突出磁極２２を有する輪状ステータ１と、前記輪状ステータ１の両端面１Ａ，１Ｂに一体又は別体にて形成された輪状絶縁カバー２と、前記各突出磁極２２に前記輪状絶縁カバー２を介して巻回された巻線７と、を有するレゾルバステータ構造において、前記輪状絶縁カバー２に一体形成され前記各突出磁極２２間に位置する渡りピン１０と、前記輪状絶縁カバー２に一体形成され前記各突出磁極２２の外側に位置する巻き崩れ防止壁８と、前記輪状絶縁カバー２に一体形成され前記巻き崩れ防止壁８の外側に位置する迂回用ピン２０と、を備え、前記巻線７は前記迂回用ピン２０にからげ後、前記スロット９に対する突入もしくは離脱とする構成であり、また、請求項１記載のレゾルバステータ構造を用いて前記各突出磁極２２に巻線７を正巻き又は逆巻きで巻回する時、前記巻線７は、前記迂回用ピン２０を回り込み又は巻き付け動作を経て巻回される方法である。
【産業上の利用可能性】
【００２０】
本発明によるレゾルバステータ構造及びその巻線の巻回方法は、巻き崩れ防止壁の外側の迂回用ピンを介して、巻線の正巻き及び逆巻きを行うことにより、各突出磁極における正巻きと逆巻きにおけるターン数を常に同一とし、検出精度を向上させることができる。
【符号の説明】
【００２１】
１    輪状ステータ
１Ａ，１Ｂ    第１、第２端面
２    輪状絶縁カバー
３    端子ピン保持部
４    端子ピン
６    取付孔
７    巻線
８    巻き崩れ防止壁
９    スロット
１０    渡りピン
２０    迂回用ピン
２２    突出磁極
Ｍ    第１移動方向（正巻き）
Ｎ    第２移動方向（逆巻き）
【図１】
2018019486.tif 000003
【図２】
2018019486.tif 000004
【図３】
2018019486.tif 000005
【図４】
2018019486.tif 000006
【図５】
2018019486.tif 000007
【図６】
2018019486.tif 000008